(57)【要約】      （修正有）【課題】簡単に安心して安価に情報インフラを享受できるようにし、消費者が望むパソコンや携帯電話本来の利用目的を達成する。【解決手段】ビジネス世界における、サーバー仮想化による、効率的なパソコン運用やセキュリティ強化を個人のパソコンに広げ、中央集権的な安価で安心なダム端末をスポンサー協力で無償配布したり、端末無償配布後に利用料で回収することにより、個人に自分の好む最新の情報を持つダム端末を安価な価格や無償で配布する。消費者は従来のプロバイダーと同様に、ネットワークでセンターと接続する。センター側では集中で消費者端末の流通情報やバージョンアップ管理、課金管理を行い、スポンサーや消費者への料金請求を行う。【選択図】なし【特許請求の範囲】
【請求項１】
サーバー装置とシンクライアント装置の接続システムで情報流通量を管理課金することを特徴とする方法。
【請求項２】
サーバー装置とシンクライアント装置の接続システムで情報流通量を管理課金することでシンクライアント装置を安価または無償配布することを特徴とする方法。
【請求項３】
サーバー装置とシンクライアント装置の接続システムで情報流通量及び質を課金管理することでスポンサー収入を得ることを特徴とする方法。
【請求項４】
サーバー装置とシンクライアント装置の接続システムで情報流通量及び質を課金管理することでシンクライアント装置を安価または無償配布してスポンサー収入を得る事を特徴とする方法。
【発明の詳細な説明】
【技術分野】
【０００１】  本発明は画期的なコンピュタネットワーク課金ビジネスを構成するためのシステムであり、遠隔地に配置されたダム端末（シンクライアントパソコン、携帯端末）からの入力を課金に結び付けると共に、サーバーからダム端末へ配信する情報をコントロールして、グループウエア、セキュリティ、未成年へのフィルターリングや企業広告等の情報提供者側のアドバンテーと引き換えに、ダム端末を消費者に無償または安価で配布し、消費者の有効性・安全性の増大および決済活性化を狙い、商業取引を円滑に遂行する方法である。
【背景技術】
【０００２】  パソコンが消費者に多数普及する中で、多くの消費者が利用するパソコンはＷＥＢを見る事やメールを打つ事、通販商品を購入する事といった、単純な作業に使われるにも関わらず、その技術知識の不足からメーカーが示す高速・高性能パソコンを高額で買い、高価なワープロソフト等を購入してネットワークに繋いで、インターネット等を楽しんでいる。特に繋がれるインターネットの速度が早くなる中、増々のパソコン高性能化の渦が来ている。また、パソコンが性能向上して機能が複雑化している為、消費者は新機購入時のセッティングに手間が掛かり、ウイルス侵入問題等、ＷＥＢを見たり、通販商品を購入する事とは直接関係無いパソコン作業に手間を取られている状況になっている。
一方、ネットワーク、サーバー技術側では、仮想化と言われるシステムがどんどん進歩して、どのパソコンとどの物理サーバー、物理記憶装置が接続しているかと言う問題から、ＣＰＵ、データがそれぞれ切り離された塊りとしてネットワーク内で定義され、パソコンはその定義に乗って、ひとつの定義ファイルとして扱われるようになっている。従って、最新のネットワークではパソコンはもはや定義ファイルのひとつであり、ネットワーク内のどこのサーバーで運用されるかは、サーバー運用者が自由に選択できるし、定義ファイルの複製によるパソコンの複製が簡単にできるようになってきている。従って、サーバー運用者は多数のパソコン（定義ファイル）を簡単に複製、修正配布できるようになっている。これらサーバーシステム内においてはパソコンと言う概念は、サーバー内の定義ファイルで扱われる為、パソコン本体はもはやディスプレーとキーボードだけのダム端末として接続されるようになりつつある。その為、副次的効果として個別パソコンからの情報漏洩が防げたり、システム管理者がトラブルで現場に呼ばれる様な事が少なくなっている。もちろん、携帯電話も同様の定義ファイルの概念で扱う事が可能になっており、特に、ＩＰ系携帯電話については全くパソコンと同一概念であり、次世代通信であるＷｉＭＡＸ利用時には法律的な枠とは違い物理的にネットワーク接続可能となってしまう。
【発明の開示】
【発明が解決しようとする課題】
【０００３】  消費者が高価なパソコンや携帯電話を購入して、ネットワークに接続して、セッティングやウイルスの問題に悩まされながら、通販商品購入やＷＥＢ閲覧、メール送受信をするといった事を解決して、簡単に安心して安価に情報インフラを享受できるようにし、消費者が望むパソコンや携帯電話本来の利用目的を達成させると同時に、サーバー、ネットワーク技術の進歩によるビジネスユースの便利さを消費者ニーズに結び付ける見返りにＢｔｏＣビジネスを活性化しようとするものである。
【課題を解決するための手段】
【０００４】  サーバー内でパソコンが定義ファイル化され、簡単に複製できると言う事は、多数パソコンのセッティングをサーバー管理者ができる事を意味しており、サーバー管理者の技術力でパソコンセッティングを通販用やメール用と言った単能仕様にも定義できるし、無償ソフトや安価に購入できるライセンスソフトを使った現状のパソコン仕様のものを作ったり、はるかに安価に消費者の望むパソコン構成を作る事ができる事を意味する。また、サーバーの先にネットワークで繋がれるパソコンや携帯電話は、ダム端末と言われる画面と入力キーボードだけの簡単なマシンで済む事になる。つまり、ダム端末は従来パソコンを購入していた消費者が、設定等に手数が掛かる悩みを全て解決したものになっている。その上、ダム端末は複雑なＣＰＵ、ハードディスク等が入っていないので価格は高くても１０万円程度、安価なものなら１万円程度で構成することができる。
従って、消費者に安価で安心な端末を手渡す事ができるが、この端末はネットワークで特定のセンター（プロバイダーの様なもの）に縛られているため、センター側が安価または無償で消費者端末を提供する代わりに、消費者の利用の都度料金を回収する仕組みとする。情報流通量（キーを打つ数等）や預かりデータ量に課金すると同時に、通販購入や広告閲覧で消費者にバックマージン支払したり、課金情報を制御することをビジネスの核とする。
【発明の効果】
【０００５】  本発明により、消費者はセンター側が供給する新しい情報を持った端末を安心して、使った分だけの支払いで安価に利用でき、バージョンアップや設定に悩まされる事も無く、更に、センター側にフィルターリング等の情報制御を依頼することにより、小学生や子供にも安心して端末を渡す事ができる。また、データ入力内職等で高価な端末を購入することなく、実作業だけが有効にできる。その一方、センター側は統一端末による効率的な統一管理ができると共に、多数端末情報の集中化で負荷を均一化し、センター側でデータ容量を減らしたり、電源供給量を減らしたりすることが可能となり。安価なコストで運用可能である。また、センター側は自社顧客から別途情報量や配布端末に対する対価を受け取る事もできる。
従って、消費者はパソコン購入代金分を消費に回すと共に、簡単・安心な最新情報端末として従来以上の商業活動を活発に行える
【発明を実施するための最良の形態】
【０００６】  サーバー装置（１）は仮想化装置（２）を装備して、複数台のサーバー、記憶装置を一元化管理する。仮想化装置（２）内部に仮想化装置内パソコンファイル（３）や仮想化装置内携帯電話ファイル（４）を消費者の需要に合わせて消費者へ配布するパソコンダム端末（５）、携帯ダム端末（６）と同一数構成する。各フィルは同一種類のものであっても、数種類に分けられるものでも良いが、情報集約化の効果が出る様に効率的に構成する。
サーバー内の消費者からの預かりデータ容量やキーイン情報、ＷＥＢ閲覧情報等は全て課金情報データベース（７）に蓄積する。課金情報データベースはセンターが自社で使うのみでなく、各スポンサー顧客要求情報に合わせて、消費者に配布したパソコンダム端末（５）や携帯ダム端末（６）への課金、支払金を計算する。
計算された金額は消費者に請求してもスポンサー顧客の営業成果としてスポンサー顧客が支払っても良い。
消費者に配布したパソコンダム端末（５）、携帯ダム端末（６）は従来のパソコンネットワークと同様にネットワーク（８）で繋がれる為、消費者は通常のパソコンの取り扱いから購入、トラブルやバージョンアップの煩わしさを取り去った形で利用できる。
【図面の簡単な説明】
【図１】本発明の実施例でサーバーセンターから個別消費者へのオペレーション。
【符号の説明】
（１）はサーバー装置
（２）は仮想化装置
（３）は仮想化装置内パソコンファイル
（４）は仮想化装置内携帯電話ファイル
（５）はパソコンダム端末
（６）は携帯ダム端末
（７）は課金情報データベース
（８）はネットワーク
【図１】
2009205657.tif 000002